(57)【特許請求の範囲】
【請求項１】
ロープにより相互に連結されて、昇降路を互いに反対方向へ昇降するかご、及びつり合いおもりと、上記かごの昇降を案内するかご用レールと、上記つり合いおもりの昇降を案内するつり合いおもり用レールと、上記ロープに駆動力を与える巻上機と、昇降路下部に形成されるピットの上記つい合いおもりの直下に配置された緩衝器と、上記ピット内の上記つり合いおもりの下降領域への作業者の侵入を抑制するスクリーンとを備えたエレベータ保守用装置において、
上記スクリーンに形成される開口部と、この開口部に開扉可能に配置される扉体とを備え、上記緩衝器の保守点検時に上記扉体を開扉状態とし上記開口部を介して作業を行うことを特徴としたエレベータ保守用装置。
【請求項２】
上記扉体が開扉状態にあるとき上記扉体により操作されエレベータの電源を遮断するスイッチを設けたことを特徴とした請求項１記載のエレベータ保守用装置。
【請求項３】
上記扉体は、その鉛直方向に沿って複数のヒンジを備え、下方向に折り畳み可能なものであることを特徴とした請求項１記載のエレベータ保守用装置。
【発明の詳細な説明】
【技術分野】
【０００１】
本発明は、エレベータのピット内保守における、作業者の安全性の向上、及び作業効率の向上を図るエレベータ保守用装置に関する。
【背景技術】
【０００２】
ロープ式エレベータの昇降路内には、昇降するかごとつり合いおもりがあり、かごとつり合いおもりは、ロープにより連結されている。ロープは巻上機により駆動し、ロープの駆動により、かご、及びつり合いおもりは、それぞれかご用レール、つり合いおもり用レールに沿って昇降する。
【０００３】
ここで、ピット内で作業者が作業する場合、つり合いおもりとの衝突が懸念されるため、従来、つり合いおもりの前にスクリーンを設けたものが提案されている（例えば、特許文献１参照）。
【０００４】
ここで、図９及び図１０に基づき従来のエレベータ保守用装置を説明する。
【０００５】
エレベータは、図９及び図１０に示すように、昇降路内に立設されたつり合いおもり用レール１に沿って、つり合いおもり２は昇降しており、ピット内において、つい合いおもり２の直下に緩衝器３、及び緩衝器台４が設置される。そして、従来の保守用装置として、つい合いおもり２の前に、つり合いおもりの下降領域への作業者の侵入を抑制するスクリーン５ａが設置され、このスクリーン５ａはスクリーン固定用ブラケット６にて、つり合いおもり用レール１に固定される。スクリーン５ａは、その下端が、ピット底面から３５０ｍｍ〜６００ｍｍの高さ位置に配置されると共に、その上端がピット底面から１５００ｍｍ〜１８００ｍｍの高さ位置に配置されており、このスクリーン５ａにより、作業者がピット内で作業する時に、万一つり合いおもり２が落下してきても、作業者がつり合いおもり２の直下部に入ることはなく、挟まれを防止している。
【先行技術文献】
【特許文献】
【０００６】
【特許文献１】特開２００３−３４１９５０号公報（段落番号００１３〜００１５、図２）
【発明の概要】
【発明が解決しようとする課題】
【０００７】
しかしながら、前述した特許文献を含む従来技術では、スクリーンは、その下端が、ピット底面から３５０ｍｍ〜６００ｍｍの高さ位置に配置されると共に、その上端がピット底面から１５００ｍｍ〜１８００ｍｍの高さ位置に配置されているため、作業者がつり合いおもり直下に配置された緩衝器の点検をする際に邪魔となり、作業者はスクリーンの下から腕を潜らせなければならず、窮屈な体勢を強いられる。又は、作業を行うためにスクリーンを取外すことが必要になる。いずれの場合も保守作業の効率が低下するという課題がある。また、もし作業者がピットで作業する際に、エレベータの電源を遮断することを失念しており、且つ上記のように作業者がスクリーンの下から腕を潜らせる、或いはスクリーンを取外して保守していた場合、緩衝器の点検中に、つい合いおもりが異常下降し、作業者の体の一部がはさまれる恐れがある。
【０００８】
本発明は、前述した従来技術における実状からなされたもので、その目的は、つり合いおもり直下の緩衝器の保守点検における作業効率の向上、及び安全性の向上を図ることのできるエレベータ保守用装置を提供することにある。
【課題を解決するための手段】
【０００９】
前記目的を達成するために、本発明は、ロープにより相互に連結されて、昇降路を互いに反対方向へ昇降するかご、及びつり合いおもりと、上記かごの昇降を案内するかご用レールと、上記つり合いおもりの昇降を案内するつり合いおもり用レールと、上記ロープに駆動力を与える巻上機と、昇降路下部に形成されるピットの上記つり合いおもりの直下に配置された緩衝器と、上記ピット内の上記つり合いおもりの下降領域への作業者の侵入を抑制するスクリーンとを備えたエレベータ保守用装置において、上記スクリーンに形成される開口部と、この開口部に開扉可能に配置される扉体とを備え、上記緩衝器の保守点検時に上記扉体を開扉状態とし上記開口部を介して作業を行うことを特徴としたものである。
【００１０】
このように構成した本発明では、つり合いおもりの直下に配置される緩衝器の保守点検時に扉体を開扉状態とし、開口部を介して作業を行う。これによって、従来のような狭隘作業や、スクリーンの取外しを要することなく緩衝器の保守作業を行うことができる。
【００１１】
また、本発明は、上記扉体が開扉状態にあるとき上記扉体により操作されエレベータの電源を遮断するスイッチを設けたことを特徴としている。
【００１２】
このように構成した本発明では、扉体を開扉状態としてつり合いおもり用緩衝器の保守作業を行っているとき、開扉状態となっている扉体によりスイッチが操作されエレベータの電源は遮断される。これによって、つり合いおもりの直下に配置される緩衝器の保守作業中に、つい合いおもりが異常下降し、作業者の体の一部がはさまれることを確実に防止することができる。
【００１３】
さらに、本発明は、上記扉体は、その鉛直方向に沿って複数のヒンジを備え、下方向に折り畳み可能なものであることを特徴としている。
【００１４】
このように構成した本発明では、扉体を開扉する際、扉体の鉛直方向に沿って備えられた複数のヒンジを介して、いわゆる蛇腹式に扉体を下方向に折り畳むことで、緩衝器とスクリーンとの間隔が狭いエレベータにも対応することができる。
【発明の効果】
【００１５】
本発明によれば、スクリーンの開口部を介してつり合いおもりの直下に配置される緩衝器の保守作業を行うことで、狭隘作業や、スクリーンの取外しを要することなく作業を行うことができ、作業効率の向上を図ることができる。また、保守作業を行っているとき、開扉状態となっている扉体によりスイッチが操作され、エレベータの電源が遮断されることで、作業中につい合いおもりが異常下降して作業者の体の一部がはさまれることを確実に防止し、安全性の向上を図ることもできる。
【図面の簡単な説明】
【００１６】
【図１】本発明に係るエレベータ保守用装置の一実施例を示す説明図である。
【図２】扉体を固定する固定手段を示す正面図である。
【図３】図２の固定手段の要部拡大図である。
【図４】扉体を閉じた状態を示す側面図である。
【図５】扉体を開扉した状態を示す側面図である。
【図６】本発明に係るエレベータ保守用装置の他の実施例を示す側面図である。
【図７】他の実施例における扉体が開扉途中にある状態を示す側面図である。
【図８】他の実施例における扉体が完全開扉した状態を示す側面図である。
【図９】従来のエレベータ保守用装置を示す上面図である。
【図１０】従来のエレベータ保守用装置の側面図である。
【発明を実施するための形態】
【００１７】
以下、本発明に係るエレベータ保守用装置の実施例を図１〜図５に基づき説明する。なお、前述した図９及び図１０に示すものと同等のものには同一符号が付してある。即ち、１はつり合いおもり用レール、２はつり合いおもり、３は緩衝器、４は緩衝器台、６はスクリーン固定用ブラケットである。
【００１８】
本実施例のエレベータ保守用装置のスクリーン５は、開口部７と、この開口部７に配置される扉体８と、扉体８の下端と開口部７との間に設けられ、この扉体８が緩衝器３側方向のみに開扉するように支持するヒンジ９と、扉体８を閉扉状態で固定する固定手段１０と、図４に示すように、扉体８が開扉状態にあるとき扉体８により操作されエレベータの電源を遮断するスイッチ１１とを備えている。
【００１９】
スクリーン５は、例えば、その下端が、ピット底面から３００ｍｍに配置されると共に、その上端が、ピット底面から２５００ｍｍに配置されている。
【００２０】
開口部７は、例えば、幅５００ｍｍ×高さ５００ｍｍの開口寸法を有し、扉体８を開扉した際、作業者が緩衝器３等を点検するのに十分なスペースが確保されている。
【００２１】
ヒンジ９の取付け高さ位置、即ち、開口部７下端の高さ位置は、緩衝器３下端の高さ、或いは緩衝器３下端の高さプラス１００ｍｍ程度に設定するのが望ましい。
【００２２】
固定手段１０は、図２及び図３に示すように、スクリーン５側に設けられ、側面から見ると鉤型の形状をしている引っ掛け金具１０ａと、扉体８側に設けられ、引っ掛け金具１０ａに係合可能なカム１０ｂとを有している。
【００２３】
スイッチ１１は、緩衝器台４上部に配置され、図５に示すように、扉体８が開扉状態になったとき、扉体８の上端で操作されるようになっている。
【００２４】
本実施例にあっては、通常運転時、固定手段１０のカム１０ｂを引っ掛け金具１０ａに係合し、扉体８の閉扉状態を保持する。一方、保守時は、作業者が緩衝器３の保守作業を行うに当たって、まずカム１０ｂを引っ掛け金具１０ａから外し、扉体８を緩衝器側へ倒す。このように扉体８を倒すことによって、スクリーン５と対向して設置された緩衝器台４上部のスイッチ１１に扉体８の上端が接触し、扉体８の自重によりスイッチ１１が押されることでスイッチオフとなり、エレベータの電源が遮断される。これにより、つり合いおもり２直下の緩衝器３の点検中に、何らかの理由でつい合いおもり２が異常下降し、作業者がはさまれるといった事故を防ぐ。このように扉体８を緩衝器側へ倒すと共に、エレベータの電源を遮断した状態で、開口部７を介して作業者は保守作業を行う。
【００２５】
本実施例によれば、スクリーン５の開口部７を介して緩衝器３の保守作業を行うことで、狭隘作業や、スクリーン５の取外しを要することなく作業を行うことができ、作業効率の向上を図ることができる。また、緩衝器３の保守作業を行っているとき、開扉状態となっている扉体８によりスイッチ１１が操作され、エレベータの電源が遮断されることで、作業中につい合いおもり２が異常下降して作業者の体の一部がはさまれることを確実に防止し、安全性の向上を図ることもできる。
【００２６】
ここで、本発明に係るエレベータ保守用装置の他の実施例を図６乃至図８に基づき説明する。なお、前述した実施例に示すものと同等のものには同一符号が付してある。
【００２７】
他の実施例における複数の扉体８０は、図６乃至図８に示すように、その鉛直方向に沿って複数のヒンジ１２を備え、下方向に折り畳み可能なものとなっている。なお、前述した実施例と同様、緩衝器台４上部にスイッチ１１が配置され、扉体８０が開扉状態になったとき、扉体８０の端部で操作されるようになっている。
【００２８】
他の実施例にあっては、扉体８０を開扉する際、扉体８０の鉛直方向に沿って備えられた複数のヒンジ１２を介して、図７及び図８に示すように、いわゆる蛇腹式に扉体８０を下方向に折り畳む。このようにして扉体８０を折り畳むと、緩衝器台４上部のスイッチ１１に扉体８０の端部が接触し、扉体８０の自重によりスイッチ１１を押すことでスイッチオフし、エレベータの電源が遮断される。
【００２９】
他の実施例によれば、扉体８０を開扉する際、扉体８０の鉛直方向に沿って備えられた複数のヒンジ１２を介して、いわゆる蛇腹式に扉体８０を下方向に折り畳むことで、緩衝器３とスクリーン５との間隔が狭いエレベータにも対応することができる。また、前述の実施例と同等の効果を得ることもできる。
【００３０】
なお、前述したそれぞれの実施例では、スイッチ１１を緩衝器台４上部に配置した例を示したが、本発明はこれに限らず、開扉状態となった扉体８、８０により機械的に操作されるものであれば良い。
【符号の説明】
【００３１】
１  つり合いおもり用レール
２  つり合いおもり
３  緩衝器
４  緩衝器台
５、５０  スクリーン
６  スクリーン固定用ブラケット
７  開口部
８、８０  扉体
９  ヒンジ
１０  固定手段
１０ａ  引っ掛け金具
１０ｂ  カム
１１  スイッチ
１２  ヒンジ  
【図１】
0005767573.tif 000002
【図２】
0005767573.tif 000003
【図３】
0005767573.tif 000004
【図４】
0005767573.tif 000005
【図５】
0005767573.tif 000006
【図６】
0005767573.tif 000007
【図７】
0005767573.tif 000008
【図８】
0005767573.tif 000009
【図９】
0005767573.tif 000010
【図１０】
0005767573.tif 000011